(57)【特許請求の範囲】
【請求項１】
ユーザ機器（ＵＥ）によって実行される方法であって、該方法は、
該ＵＥに割り当てられた１つ以上のベアラのタイプがバックグラウンドまたは双方向であるときに、よりエネルギー効率の良い状態またはよりエネルギー効率の良いモードの要求を送信することを決定することと、
該決定することに基づいて、該要求を送信することと
を含む、方法。
【請求項２】
ネットワーク構成要素によって実行される方法であって、該方法は、
ユーザ機器（ＵＥ）に割り当てられた１つ以上のベアラのタイプがバックグラウンドまたは双方向であるときに、該ＵＥがよりエネルギー効率の良い状態またはよりエネルギー効率の良いモードの要求を送信することを可能にすることを決定することと、
該決定することに基づいて、指示を生成することと、
該指示を該ＵＥに送信することと
を含む、方法。
【請求項３】
前記指示を送信することは、ＲＲＣ接続再構成メッセージを送信することを含む、請求項２に記載の方法。
【請求項４】
送信機と受信機とメモリとプロセッサとを含むユーザ機器（ＵＥ）であって、該プロセッサは、
該ＵＥに割り当てられた１つ以上のベアラのタイプがバックグラウンドまたは双方向であるときに、よりエネルギー効率の良い状態またはよりエネルギー効率の良いモードの要求を送信することを決定することと、
該決定することに基づいて、該要求を送信することと
を行うように構成されている、ＵＥ。
【請求項５】
送信機と受信機とメモリとプロセッサとを含むネットワーク構成要素であって、該プロセッサは、
ユーザ機器（ＵＥ）に割り当てられた１つ以上のベアラのタイプがバックグラウンドまたは双方向であるときに、該ＵＥがよりエネルギー効率の良い状態またはよりエネルギー効率の良いモードの要求を送信することを可能にすることを決定することと、
該決定することに基づいて、指示を生成することと、
該指示を該ＵＥに送信することと
を行うように構成されている、ネットワーク構成要素。
【請求項６】
前記指示を送信することは、ＲＲＣ接続再構成メッセージを送信することを含む、請求項５に記載のネットワーク構成要素。
【発明の詳細な説明】
【背景技術】
【０００１】
ロングタームエボリューション（ＬＴＥ）は、モバイルネットワーク技術のための第３世代パートナーシッププロジェクト（３ＧＰＰ）規格である。ＬＴＥは、発展的または先進的なセルラーブロードバンド技術におけるモバイル通信システムについて複数の要件を記載している。そのような要件には、進化型ユニバーサルモバイル通信システム（ＵＭＴＳ）地上無線アクセスネットワーク（Ｅ−ＵＴＲＡＮ）が挙げられるが、これは、ユーザスループットおよびネットワーク容量の改善、待ち時間の低減、移動度の増大を含む、増大するネットワークの要求を満たす、高速無線アクセス技術である。例えば、ＬＴＥは、Ｅ−ＵＴＲＡＮをサポートするために、拡張パケットコア（ＥＰＣ）ネットワークアーキテクチャを使用する。ＥＰＣネットワークアーキテクチャは、エンドツーエンドのサービスの質（ＱｏＳ）で、音声、映像、他の媒体等、およびメッセージングのＩＰベースのサービスをサポートするための、送信制御プロトコル（ＴＣＰ）／インターネットプロトコル（ＩＰ）等のプロトコルを使用する。ＥＰＣネットワークアーキテクチャはまた、他の固定回線に対する改良された接続およびハンドオーバー、ならびに改良された移動度を伴う無線アクセス技術を可能にする。
【０００２】
ＬＴＥの物理レイヤ（ＰＨＹ）は、上述のネットワークの要求を満たすように、直交周波数分割多重接続（ＯＦＤＭＡ）、多入力多出力（ＭＩＭＯ）データ送信、およびスマートアンテナを含む、先進技術を使用する。ＬＴＥ  ＰＨＹは、例えば基地局（ＢＳ）からユーザ機器（ＵＥ）への、ダウンリンク送信のためにＯＦＤＭＡを使用するが、これは、セルとして知られる地理的領域全体を通して信号を送信することによって通信することができる。加えて、ＬＴＥ  ＰＨＹは、例えばＵＥからＢＳへの、アップリンク送信のためにシングルキャリア周波数分割多重接続（ＳＣ−ＦＤＭＡ）を使用する。ＯＦＤＭＡおよびＳＣ−ＦＤＭＡ技術は、ＬＴＥおよびＵＥシステムの複雑さを低減し、かつ通信スペクトルまたは帯域幅を増大する。
【０００３】
ＵＥは、携帯電話、携帯情報端末、ハンドヘルドまたはラップトップコンピュータ、および電気通信能力を有する類似したデバイス等の、ＬＴＥシステムで使用されるあらゆるモバイルデバイスであり得る。ＵＥは、無線デバイスと、加入者アイデンティティモジュール（ＳＩＭ）アプリケーション、ユニバーサル加入者アイデンティティモジュール（ＵＳＩＭ）アプリケーション、または可撤性ユーザアイデンティティモジュール（Ｒ−ＵＩＭ）アプリケーションを含む、その関連するユニバーサル集積回路カード（ＵＩＣＣ）とから成り得、またはそのようなカードを伴わないデバイス自体から成る場合がある。代替的に、ＵＥは、類似した無線能力を有するが、デスクトップコンピュータ、セットトップボックス、またはネットワークノード等の、移動可能ではないデバイスであり得る。ＵＥはまた、無線デバイス等の別の機能の代わりに作用し、デバイスをシミュレートまたはエミュレートする、ネットワークノードであり得る。例えば、いくつかの無線デバイスの場合、典型的にデバイス上に存在するＩＰマルチメディアサブシステム（ＩＭＳ）セッション開始プロトコル（ＳＩＰ）クライアントは、実際は、ネットワーク内に存在して、最適化プロトコルを用いてＳＩＰメッセージ情報をデバイスに中継する。換言すれば、従来は無線デバイスによって実行されていたいくつかの機能は、遠隔ＵＥの形態で分散させることができ、遠隔ＵＥは、ネットワーク内の無線デバイスを表す。いくつかの事例において、ＵＥは、ＳＩＰセッションを終了することができる、あらゆるハードウェアまたはソフトウェア構成要素であり得る。
【０００４】
ＢＳおよびＵＥに加えて、ＬＴＥシステムは、拡張ノードＢ（ＥＮＢ）等の、これまで不可能であったサービスを提供する、先進装置を含み得る。これらのデバイスは、ＢＳ、無線アクセスポイント、ならびに他のシステムおよびデバイスの機能のうちの少なくともいくつかを提供することができ、そのうちのいくつかは、従来の無線通信システムにおいて、同等の装置よりも発展したものであり得る。ＥＮＢまたはアクセスデバイスという用語は、本明細書で、ネットワークへのアクセスを得るために使用され得る、あらゆる既存の、または進化型のデバイスを指すように使用され得る。このような進歩的または次世代の装置は、本明細書でロングタームエボリューション（ＬＴＥ）装置と称され得る。
【０００５】
ＬＴＥは、無線リソース制御（ＲＲＣ）プロトコル等のプロトコルを含むが、これは、ＵＥと、ＢＳ、ＥＮＢ、または他のアクセスもしくはＬＴＥ装置との間での、無線リソースの割り当て、構成、および解放に関与する。ＲＲＣプロトコルは、３ＧＰＰ  ＴＳ３６．３３１仕様書に詳述されている。ＲＲＣプロトコルによれば、ＵＥのための２つの基本的なＲＲＣモードは、「アイドルモード」および「接続モード」として定義される。接続モードまたは状態中に、ＵＥは、ネットワークと信号を交換し、他の関連する動作を実施し得る一方で、アイドルモードまたは状態中に、ＵＥは、その接続モードの動作のうちの少なくともいくつかを遮断し得る。アイドルおよび接続モードの挙動は、第３世代パートナーシッププロジェクト（３ＧＰＰ）仕様書ＴＳ３６．３０４およびＴＳ３６．３３１に詳述されている。
【発明の概要】
【課題を解決するための手段】
【０００６】
最初に、本開示の１つ以上の実施形態の例示的な実装例を以下に提供するが、開示されるシステムおよび／または方法は、現在公知であるか、存在しているかに関わらず、任意の数の技術を用いて実装され得ることを理解されたい。本開示は、本明細書に示され、説明される例示的な設計および実装例を含む、以下に示される例示的な実装例、図面、および技術に限定されるべきではなく、均等物の全範囲とともに、添付の特許請求の範囲の範囲内で修正され得る。
【０００７】
ＵＥのアイドルモードから接続モード、およびその逆の移行は、典型的に、ネットワークによって、またはＥＮＢ等の、ＵＥと通信するＬＴＥ装置によって制御される。例えば、ネットワークまたはＥＮＢは、ＲＲＣ接続をいつ解放するべきかを決定して、あるＲＲＣ状態から別の状態にＵＥを移動させる。状態移行は、ＵＥとネットワークとの間のデータ活動または非活動によってトリガされる。ＲＲＣ接続は、ＲＲＣ接続解放メッセージを送信するネットワークによって解放され、信号リンク接続、およびＵＥとネットワーク構成要素との間の無線リソースのうちの一部または全ての解放を引き起こす。ネットワークまたはＥＮＢは、ＵＥが、所与のアプリケーションについてデータの交換または処理をいつ完了したのか、正確な時期を知らないことがあるので、無線リソースセットアップおよび後続の接続セットアップの待ち時間を低減するために、より多くのデータがＵＥを出入りすることを予想して、しばらくの間ＲＲＣ接続を保ったままにし得る。
【０００８】
本明細書では、ＵＥを、接続モードからアイドルモードに移動させるように、またはいくつかの接続もしくはＵＥとネットワークとの間のアップリンク送信リソースを解放するように、ＵＥで高速休止（ＦＤ）プロシージャタイプを開始するためのシステムおよび方法を開示する。ＦＤ、ＦＤプロシージャ、またはＦＤ指示は、概して、これに限定されないが、ＵＴＲＡＮに対して提案されているもの等の、高速休止技術を指すために使用され得る。本明細書でＦＤプロシージャは、例えば、割り当てられた接続または構成されたリソースを伴う特定の構成においてデバイスが費やす時間を低減すること、および、アイドルモード等の、よりエネルギー効率の良い状態またはモードに移動することによって、改良された電力管理および／または延長されたバッテリ寿命を促進する、あらゆるプロシージャまたはプロセスを指し得る。故に、ＵＥは、アプリケーションまたはアプリケーションコンテンツの終了等の、利用可能な上位層の知識に基づいて割り当てられた無線リソースのうちの少なくともいくつかを、もはや必要ないものと決定し得、したがって、ネットワークまたはＥＮＢに指示を送信し得る。応答して、ネットワークまたはＥＮＢは、接続のうちの少なくともいくつかを解放することによって、さらなるネットワーク作用またはネットワークによって事前設定され得る非活動タイマが満了するのを待たずに、接続モードから、アイドルモード等の、よりエネルギー効率の良い状態またはモードに移動させることによって、指示に応じて作用し得る。代替的に、ネットワークまたはＥＮＢは、アップリンク送信リソースを解放することによって、指示に応じて作用し得る。例えば、接続は、ＥＮＢが解放メッセージをＵＥに返信した時に、明示的な手法で解放され得る。アップリンク送信リソースは、ＥＮＢが、リソースを解放するように再構成メッセージを送信した時には、明示的な手法で、または、ＥＮＢが、アップリンク送信タイミングを維持するためにＵＥによって要求され得る、時間整合データをＵＥに送信するのを停止した時には、暗示的な方法で、解放され得る。指示は、例えばＲＲＣメッセージを用いてＲＲＣプロトコル層で、またはメディアアクセス制御（ＭＡＣ）層で送信され得る。ＭＡＣ層の信号送信は、ＵＥとＥＮＢとの間の指示および応答時間を低減するといった利点を有し得る。ＦＤプロシージャは、ネットワークがＵＥリソース構成を変化させる、またはＵＥ接続を解放させる、ネットワークの事前設定時間が満了する前に、ＲＲＣ接続モードを短縮すること、およびＵＥを、ＲＲＣアイドルモード等の、よりエネルギー効率の良い状態またはモードに移動させることによって、ＵＥでの総合電力効率を向上させるために使用され得る。加えて、ＦＤプロシージャは、ネットワークが、ＵＥをＲＲＣ接続モードに保つことを決定した場合に、不必要なアップリンク送信の数を低減しつつ、ＵＥでの総合電力効率を向上させ得る。例えば、これは、サウンディング参照信号を送信する必要性を除去するようにＲＲＣ接続を再構成するネットワークによって、または代替的に、いかなる更新もＵＥ時間整合に提供せずに、ＵＥ時間整合タイマが満了するのを可能にすることによって実行することができる。ＲＲＣ接続モードを維持する一方で、アップリンク送信の所要数を低減することはまた、アイドルモードと比較して、呼／セッションセットアップ待ち時間に必要とされる時間の低減も可能にする。加えて、ＦＤプロシージャは、ＦＤ指示の欠如を、次いで、より多くのデータ転送が必要とされる可能性が高いという（ＦＤプロシージャを使用しないシステムよりも大きい可能性を伴う）兆候として使用できるので、ＵＥでの総合電力効率をさらに向上させ得る。これは、例えば、ネットワーク側上のいくつかの非活動タイマが、延長または低減される等の、影響を与えられることを可能にする。
【０００９】
具体的には、ＬＴＥのためのＲＲＣプロトコルは、接続モードでの非連続受信（ＤＲＸ）をサポートし得、ＵＥは、物理ダウンリンク制御チャネル（ＰＤＣＣＨ）を監視し、かつネットワークと信号を交換するＤＲＸ活動時間と、バッテリ電力を保つ非ＤＲＸ活動時間との間で、交互的に、または周期的に切り替わり得る。ＤＲＸサイクルの接続モードの持続時間は、アイドルモードのそれよりも短くてもよい。接続モードは、より多くのアップリンク送信およびアップリンク制御チャネルリソースを備え得る。例えば、ＵＥは、アイドル時間またはアイドルモード中ではなく、ＤＲＸ活動時間または接続モード中に、例えば、チャネル品質指標（ＣＱＩ）、ランク指標（ＲＩ）、およびプリコーディング行列指標（ＰＭＩ）といったダウンリンクチャネル状態、ならびにアップリンクチャネル推定のためのサウンディング参照信号（ＳＲＳ）を周期的に報告するように構成され得る。以下、ＣＱＩ、ＰＭＩ、ＲＩ、およびＳＲＳは、チャネル状態報告と称する。ＵＥは、接続モード中に、ユーザトラフィックまたはペイロードの存在または量に関わらず、アップリンク送信を維持し得る。このように、アップリンク送信は、例えば、ＵＥ内のアップリンク時間整合タイマが満了した時、アップリンク送信を無効にするようにＵＥがネットワークからＲＲＣ接続再構成メッセージ等の再構成メッセージを受信した時、またはネットワークでの非活動タイマの満了時にＵＥが接続解放メッセージを受信した時、アップリンク制御チャネルリソースがＵＥによって解放されるまで、維持され得る。ＵＥが、より高い割合でネットワークと通信を交換すると、非活動タイマの満了時間が増大し得、したがって、ＵＥは、不必要により長い持続時間にわたって接続モードを保ち得る。
【００１０】
加えて、接続モードでは、ＵＥは、共通の検索領域の中だけでなく、ＵＥ固有の検索領域の中も、物理ダウンリンク制御チャネル（ＰＤＣＣＨ）情報を探し得、これは、ＵＥが共通領域のみを探すのに必要とするアイドルモードと比較して、ＵＥによる処理を増大させ得、したがって、アイドルモードと比較して、接続モードでの電力消費が大きくなる。ＵＥはまた、接続モード中に、セルＲＮＴＩ（Ｃ−ＲＮＴＩ）、送信電力制御−物理アップリンク共有チャネル−ＲＮＴＩ（ＴＰＣ−ＰＵＳＣＨ−ＲＮＴＩ）、送信電力制御−物理アップリンク制御チャネル−ＲＮＴＩ（ＴＰＣ−ＰＵＣＣＨ−ＲＮＴＩ）、または準定常スケジューリングＲＮＴＩ（ＳＰＳ−ＲＮＴＩ）等の、より多くのタイプのネットワーク端末識別子（ＲＮＴＩ）を検査し得る。さらに、ＵＥは、セルエッジのより近くに位置する時に、近傍のセルにも関連し得る付加的な測定を実施し得、頑健な移動度管理を確保するように、接続モード中に、測定値をネットワークに報告し得る。さらに、ＵＥがセルの間で輸送される時には、接続モード中に、ハンドオーバー信号送信が使用される。対照的に、ＵＥは、アイドルモード中に、ネットワークへの信号送信を伴わずに、その登録された追跡領域内のセルを変更し得る。前述のように、ＵＥは、より多くの動作を実施し、したがって、接続モード中に、アイドルモードと比較して、より多くの電力を使用するので、ＦＤプロシージャは、接続モードの持続時間を低減することによって、または接続モード中の動作または送信の量を低減することによって、ＵＥのバッテリ電力を保ち得る。加えて、不必要な制御チャネルリソースまたは接続を解放することによって、ＦＤプロシージャは、無線アクセスネットワーク（ＲＡＮ）における無線リソースの利用および管理を向上させ得、したがって、例えば送信するデータを伴う接続モードのＵＥといった、他の活動ユーザのために、より多くのリソースを提供し得る。
例えば、本願発明は以下の項目を提供する。
（項目１）
媒体アクセス制御（ＭＡＣ）層を通して、ユーザ機器（ＵＥ）からアクセスデバイスに高速休止（ＦＤ）指示を送信する方法であって、
長期間にわたってそれ以上データがないという指示を上位層から受信することと、
ＭＡＣ制御要素を生成して該アクセスデバイスに送信することと
を含む、方法。
（項目２）
ＵＥのアップリンク時間整合が維持されていない場合に、前記ＭＡＣ制御要素を生成して、前記アクセスデバイスに送信することを控えることをさらに含む、項目１に記載の方法。
（項目３）
非活動タイマの状態に基づいて、前記ＦＤ指示を送信するかどうかを決定することをさらに含む、項目１に記載の方法。
（項目４）
前記ＵＥが、前記ネットワーク非活動タイマが所定の期間で満了することを知っている場合に、前記ＦＤ指示を送信することを控えることをさらに含む、項目３に記載の方法。
（項目５）
前記ＭＡＣ制御要素は、固定サイズを有する、項目１に記載の方法。
（項目６）
前記ＭＡＣ制御要素は、ＦＤ指示に対して指定される一意の論理チャネルアイデンティティ（ＬＣＩＤ）を備えているＭＡＣサブヘッダによって識別される、項目１に記載の方法。
（項目７）
前記ＭＡＣ制御要素は、セル無線ネットワークの一時的な識別子から導出されるショートメッセージ認証コードを搬送するように拡張される、項目１に記載の方法。
（項目８）
ユーザ機器（ＵＥ）からの高速休止（ＦＤ）指示に応答する方法であって、
該ＵＥとの接続を解放することと、
該ＵＥを、接続モードからアイドルモードに移動させることと、
アップリンクリソースを解放してチャネル状態報告のアップリンク送信を停止するように、再構成メッセージで返答することと、
時間整合コマンドを該ＵＥに送信することを停止することと
のうちの少なくとも１つによって、該ＦＤ指示に応答することを含む、
方法。
（項目９）
媒体アクセス制御（ＭＡＣ）層を通したユーザ機器（ＵＥ）からの高速休止（ＦＤ）指示に応答する方法であって、
該ＦＤ指示をトリガした可能性のあるＵＥに対する継続中のデータ転送活動があるかどうかを決定することと、
継続中のデータ転送活動がある場合に、該ＦＤ指示を無視することと
を含む、方法。
（項目１０）
前記決定は、前記ＵＥから受信されるバッファ状態報告（ＢＳＲ）に基づく、項目９に記載の方法。
（項目１１）
前記決定は、ダウンリンクバッファ状態に基づく、項目９に記載の方法。
（項目１２）
前記ＢＳＲをトリガするために、アップリンク許可を提供することをさらに含む、項目１０に記載の方法。
（項目１３）
無線リソース制御（ＲＲＣ）プロトコル層を通して、ユーザ機器（ＵＥ）からアクセスデバイスに高速休止（ＦＤ）指示を送信する方法であって、
アップリンク（ＵＬ）時間整合（ＴＡ）が該ＵＥと該アクセスデバイスとの間で維持されている場合に、スケジューリング要求（ＳＲ）を送信することと、アップリンク許可を受信することと、ＲＲＣ  ＦＤ指示を送信することとを含む、方法。
（項目１４）
前記アップリンク許可を受信することの後にバッファ状態報告（ＢＳＲ）メッセージを送信することと、前記ＲＲＣ  ＦＤ指示を送信することの前に第２のアップリンク許可を受信することとをさらに含む、項目１３に記載の方法。
（項目１５）
前記ＲＲＣプロトコル層は、前記ＵＬ  ＴＡが前記ＵＥと前記アクセスデバイスとの間で維持されていない場合にランダムアクセスプリアンブルを送信するために使用され、ランダムアクセス応答メッセージが受信され、ＲＲＣ指示メッセージが送信される、項目１３に記載の方法。
（項目１６）
前記ＵＬ  ＴＡが前記ＵＥと前記アクセスデバイスとの間で維持されていない場合に前記ＲＲＣプロトコル層が使用される場合、該ＵＥは、前記ＦＤ指示を該アクセスデバイスに送信することを控える、項目１３に記載の方法。
（項目１７）
無線アクセス技術間（ＲＡＴ）ハンドオーバー中に、高速休止（ＦＤ）指示を処理する方法であって、
ハンドオーバー中に無線リソース制御（ＲＲＣ）接続再構成メッセージを用いて、ＦＤ構成パラメータをロングタームエボリューション（ＬＴＥ）ネットワークに送信することを含む方法。
（項目１８）
ハンドオーバー中に進化型ＵＭＴＳ地上無線アクセス（ＥＵＴＲＡ）移動度コマンドを用いて、前記ＬＴＥネットワークから前記ＦＤ構成パラメータを送信することをさらに含む、項目１７に記載の方法。
（項目１９）
プロセッサを備えているユーザ機器（ＵＥ）であって、該プロセッサは、
該ＵＥが、長期間にわたってそれ以上データがないという指示を上位層から受信することと、ＭＡＣ制御要素を生成してアクセスデバイスに送信することとによって、媒体アクセス制御（ＭＡＣ）層を通して、高速休止（ＦＤ）指示を該アクセスデバイスに送信するように構成されている、
ユーザ機器（ＵＥ）。
（項目２０）
前記ＵＥは、ＵＥのアップリンク時間整合が維持されていない場合に、前記ＭＡＣ制御要素を生成して前記アクセスデバイスに送信することを控える、項目１９に記載のＵＥ。
（項目２１）
前記ＵＥは、非活動タイマの状態に基づいて、前記ＦＤ指示を送信するかどうかを決定する、項目１９に記載のＵＥ。
（項目２２）
前記ＵＥが、前記ネットワークの非活動タイマが所定の期間で満了することを知っている場合、前記ＦＤ指示を送信することを控えることをさらに含む、項目２１に記載のＵＥ。
（項目２３）
前記ＭＡＣ制御要素は、固定サイズを有する、項目１９に記載のＵＥ。
（項目２４）
前記ＭＡＣ制御要素は、ＦＤ指示に対して指定される一意の論理チャネルアイデンティティ（ＬＣＩＤ）を備えているＭＡＣサブヘッダによって識別される、項目１９に記載のＵＥ。
（項目２５）
前記ＭＡＣ制御要素は、セル無線ネットワークの一時的な識別子から導出されるショートメッセージ認証コードを搬送するように拡張される、項目１９に記載のＵＥ。
（項目２６）
プロセッサを備えているアクセスデバイスであって、該プロセッサは、
該アクセスデバイスが、
ユーザ機器（ＵＥ）との接続を解放することと、
該ＵＥを、接続モードからアイドルモードに移動させることと、
アップリンクリソースを解放してチャネル状態報告のアップリンク送信を停止するように、再構成メッセージで返答することと、
時間整合コマンドを該ＵＥに送信することを停止することと
のうちの少なくとも１つによって、該ＵＥからの高速休止（ＦＤ）指示に応答するように構成されている、
アクセスデバイス。
（項目２７）
プロセッサを備えているアクセスデバイスであって、該プロセッサは、
該アクセスデバイスが、高速休止（ＦＤ）指示をトリガした可能性のあるユーザ機器（ＵＥ）に対する継続中のデータ転送活動があるかどうかを決定することと、継続中のデータ転送活動がある場合に該ＦＤ指示を無視することとによって、媒体アクセス制御（ＭＡＣ）層を通した該ＵＥからの該ＦＤ指示に応答するように構成されている、
アクセスデバイス。
（項目２８）
前記決定は、前記ＵＥから受信されるバッファ状態報告（ＢＳＲ）に基づく、項目２７に記載のアクセスデバイス。
（項目２９）
前記決定は、ダウンリンクバッファ状態に基づく、項目２７に記載のアクセスデバイス。
（項目３０）
前記ＢＳＲをトリガするために、アップリンク許可を提供することをさらに含む、項目２８に記載のアクセスデバイス。
（項目３１）
プロセッサを備えているユーザ機器（ＵＥ）であって、該プロセッサは、
該ＵＥが、無線リソース制御（ＲＲＣ）プロトコル層を通して、アクセスデバイスに高速休止（ＦＤ）指示を送信するように構成され、
該ＵＥは、アップリンク（ＵＬ）時間整合（ＴＡ）が該ＵＥと該アクセスデバイスとの間で維持されている場合に、スケジューリング要求を送信し、アップリンク許可を受信し、ＲＲＣ  ＦＤ指示を送信する、
ユーザ機器（ＵＥ）。
（項目３２）
前記ＵＥが、前記アップリンク許可を受信した後にバッファ状態報告（ＢＳＲ）メッセージを送信し、前記ＲＲＣ  ＦＤ指示を送信する前に第２のアップリンク許可を受信することをさらに含む、項目３１に記載のＵＥ。
（項目３３）
前記ＲＲＣプロトコル層は、前記ＵＬ  ＴＡが前記ＵＥと前記アクセスデバイスとの間で維持されていない場合にランダムアクセスプリアンブルを送信するために使用され、ランダムアクセス応答メッセージが受信され、ＲＲＣ指示メッセージが送信される、項目３１に記載のＵＥ。
（項目３４）
前記ＵＬ  ＴＡが前記ＵＥと前記アクセスデバイスとの間で維持されていない場合に前記ＲＲＣプロトコル層が使用される場合、該ＵＥは、前記ＦＤ指示を該アクセスデバイスに送信することを控える、項目３１に記載のＵＥ。
（項目３５）
プロセッサを備えているユーザ機器（ＵＥ）であって、該プロセッサは、
該ＵＥが、ハンドオーバー中に無線リソース制御（ＲＲＣ）接続再構成メッセージを用いて、ＦＤ構成パラメータをロングタームエボリューション（ＬＴＥ）ネットワークに送信することによって、無線アクセス技術間（ＲＡＴ）ハンドオーバー中に、高速休止（ＦＤ）指示を処理するように構成されている、
ユーザ機器（ＵＥ）。
（項目３６）
前記ＵＥは、ハンドオーバー中に進化型ＵＭＴＳ地上無線アクセス（ＥＵＴＲＡ）移動度コマンドを用いて、前記ＬＴＥネットワークから前記ＦＤ構成パラメータを送信する、項目３５に記載のＵＥ。
【図面の簡単な説明】
【００１１】
本開示をより完全に理解するために、添付の図面および発明を実施するための形態と併せて理解される、以下の簡単な説明を参照し、類似参照数字は、類似部品を表す。
【図１】図１は、本開示の一実施形態による、高速休止指示用のＵＥ制御インターフェースの図である。
【図２】図２は、本開示の一実施形態によるＲＲＣ高速休止指示プロシージャの図である。
【図３】図３は、本開示の一実施形態による、別のＲＲＣ高速休止指示プロシージャの図である。
【図４】図４は、本開示の一実施形態による、媒体アクセス制御レベル高速休止指示プロシージャの図である。
【図５】図５は、本開示の一実施形態による、別の媒体アクセス制御レベル高速休止指示プロシージャの図である。
【図６】図６は、本開示の一実施形態による、複数の高速休止構成の図である。
【図７】図７は、本開示の一実施形態による、ＵＥ高速休止挙動のための方法のフローチャートである。
【図８】図８は、本開示の一実施形態による、ＥＮＢ高速休止挙動のための方法のフローチャートである。
【図９】図９は、本開示の種々の実施形態のうちのいくつかに対して動作可能なユーザエージェントを含む、無線通信システムの図である。
【図１０】図１０は、本開示の種々の実施形態のうちのいくつかに対して動作可能なユーザエージェントのブロック図である。
【図１１】図１１は、本開示の種々の実施形態のうちのいくつかに対して動作可能なユーザ機器に実装され得る、ソフトウェア環境の図である。
【図１２】図１２は、本開示の複数の実施形態を実装するための、好適な例示的な汎用コンピュータシステムを例証する図である。
【発明を実施するための形態】
【００１２】
図１は、ＦＤ指示をネットワークに送信するために使用され得る、ＵＥ制御インターフェース１００の実施形態を例証する。制御インターフェース１００は、ＵＥ接続マネージャ１１０と、ＵＥで動作し得る、または処理され得る、少なくとも１つのアプリケーション１２０を備え得る。加えて、制御インターフェース１００は、ＲＲＣプロトコル層１３０と、ＭＡＣ層１４０と、パケットデータコンバージェンスプロトコル（ＰＤＣＰ）層１５０、無線リンク制御（ＲＬＣ）層１６０、および物理層（ＰＨＹ）１７０等の、アクセスまたはサポートされ得る他のプロトコルまたは制御層とを含む複数のネットワークプロトコル層を備え得る。
【００１３】
ＵＥ接続マネージャ１１０は、ＵＥで、例えばアプリケーションまたは上位層で起動する、または起動するようスケジューリングされた、任意のアプリケーション１２０の状態を承知し得る。例えば、ＵＥ接続マネージャ１１０は、ＵＥでのアプリケーション１２０のうちの少なくともいくつかについて、開始時間、終了時間、処理時間、残り時間、またはそれらの組み合わせを承知し得る。アプリケーション１２０は、ネットワークもしくはリンク管理アプリケーション、ネットワークサービスアプリケーション、他のネットワークアプリケーション、またはユーザアプリケーションを備え得る。一実施形態では、ＵＥ接続マネージャ１１０はまた、ＵＥによって使用される電源のタイプまたは利用可能な電力の状態レベルを承知し得、それによって、ＵＥが外部電源で駆動される場合、またはバッテリが充電されている場合、ＵＥは、十分な電力が利用可能であるので、ＦＤプロシージャの必要性が低減されるか、または不要であえあり得ることを決定し得る。代替的に、ＵＥ接続マネージャ１１０は、ＦＤプロシージャを活動させる、または抑制する必要性をトリガするために、１つの付加的な入力として、バッテリ電力レベル指示を使用し得、例えば、ＵＥがバッテリのみによって駆動されている場合に、または場合により、電力が特定のレベルを下回った時にのみ、ＵＥ接続マネージャ１１０のアプリケーション状態の知識が、ＦＤプロシージャをトリガするか、またはトリガできるようにするのを可能にする。ＵＥ接続マネージャ１１０は、そのような上位層の知識に基づいて、現在ＵＥに割り当てられている、またはＵＥに対してスケジューリングされた無線リソースのうちのいくらかをＵＥが必要とするかどうかを決定するために、そのような知識を使用し得る。ある実施形態では、いかなる現在のアプリケーションも、比較的に短い時間内に起動していない、またはスケジューリングされていない場合、ＵＥ接続マネージャ１１０は、ＦＤ指示１３１をＲＲＣ層１３０に送信し得、またはＦＤ指示１４１がＭＡＣ層１４０に送信される場合がある。代替的に、ＵＥ接続マネージャ１１０は、ＦＤ指示１３１をＲＲＣ層１３０に送信し得、ＲＲＣ層１３０は、次に、ＦＤ指示１３２をＭＡＣ層１４０に転送し得る。ある実施形態では、ＲＲＣ層１３０は、例えば信号接続解放指示（ＳＣＲＩ）、ＲＲＣ接続解放指示（ＲＣＲＩ）、またはＲＲＣ接続解放要求（ＲＣＲＲ）メッセージといった、ＲＲＣメッセージを用いて、ＦＤ指示をネットワークまたはＥＮＢに送信し得る。ある実施形態では、ＲＲＣ層１３０は、ＦＤ指示に関する原因値を含む情報要素内のＲＲＣメッセージ内で、ＦＤ指示をネットワークまたはＥＮＢに送信し得る。例えば、「データ送信の終了」を指示する拡張原因を、ＲＲＣメッセージ内に含めて送信し得る。代替の実施形態では、ＭＡＣ層１４０は、ＭＡＣ制御要素を用いて、ＦＤ指示をネットワークまたはＥＮＢに送信し得、制御要素は、０オクテットの固定サイズを有して、ＦＤ指示の使用に対して指定される一意の論理チャネルアイデンティティ（ＬＣＩＤ）を含むＭＡＣサブヘッダによって識別され得る。例えば、ＭＡＣサブヘッダは、約１オクテットと同等の長さを有し得る。代替的に、ＭＡＣ層のＦＤ指示は、ＢＳＲによるＦＤ指示の使用に対して指定される一意のＬＣＩＤを含むＭＡＣサブヘッダによって識別される、短いＢＳＲ  ＭＡＣ制御要素であり得る。また、例えば、ＦＤ指示に対する応答として明示的なＲＲＣメッセージが送信されることを必要としない、他のＭＡＣ指示が使用され得る。この場合、ＦＤ指示のためのＭＡＣ制御要素は、約１オクテットのサイズを有する。
【００１４】
さらに、ＵＥ接続マネージャ１１０は、ＵＥデータまたはアプリケーションバッファの状態を承知し得、ＵＥが、割り当てられた、またはスケジューリングされた無線リソースを解放できるかどうかを決定するために、上位層の知識とともにこの知識を使用し得る。ある実施形態では、いかなる現在のアプリケーションも、ある（例えば、短い）期間にわたって起動またはスケジューリングされておらず、かつバッファが空である場合、ＵＥ接続マネージャ１１０は、ＦＤ指示をＲＲＣ層１３０またはＭＡＣ層１４０に送信するように決定し得る。加えて、ＲＲＣ層１３０またはＭＡＣ層１４０は、ネットワークにおける非活動タイマの状態を承知し得、これを、ＦＤ指示を送信するかどうかを決定するために、ＵＥ接続マネージャ１１０および／またはバッファ情報によって示されるような上位層の知識とともに使用し得る。ＦＤ指示は、ＲＲＣメッセージを介して、またはＭＡＣ制御要素を介して送信され得る。ある実施形態では、いかなる現在のアプリケーションも、比較的に短い時間にわたって起動またはスケジューリングされておらず、バッファが空であり、かつアップリンク時間整合が維持されている場合、ＦＤ指示が送信され得る。別の実施形態では、いかなる現在のアプリケーションも、比較的に短い時間にわたって起動またはスケジューリングされておらず、バッファが空であり、アップリンク時間整合が維持されておらず、かつ非活動タイマが比較的に長い時間の前に満了しないであろう場合、ＦＤ指示が送信され得る。
【００１５】
図２は、ＦＤ指示プロシージャ２００の実施形態を例証し、ＵＥにおけるＲＲＣ層１３０は、ＦＤ指示をネットワークに送信するために使用され得る。ＵＥ接続マネージャ１１０がＦＤ指示を転送するよう決定した時、ＵＥは、送信するいかなるデータもない場合、ＳＣＲＩ、ＲＣＲＩ、またはＲＣＲＲ等の、ＲＲＣ  ＦＣ指示メッセージ２０５をネットワークに送信するように、ＲＲＣ層１３０を使用し得る。具体的には、ＲＲＣ  ＦＤ指示は、ＵＥがアップリンク（ＵＬ）時間整合（ＴＡ）、すなわちアップリンク送信のための時間整合を維持する時に送信され得る。故に、ＵＥは、競合を生じないアップリンクアクセスのために、ネットワーク（ＥＮＢ）によって構成され得るスケジューリング要求（ＳＲ）メッセージ２０１をネットワークに送信し得る。ネットワークは、ＳＲメッセージ２０１を受信して、例えばアップリンク許可メッセージ２０２を返信することによって、ＵＥアップリンクアクセスを許可し得る。次いで、ＵＥは、ＲＲＣ  ＦＤ指示を送信するためのアップリンクリソースを得るように、バッファ状態報告（ＢＳＲ）メッセージ２０３を送信し得る。ネットワークは、ＢＳＲメッセージ２０３を受信して、例えばアップリンク許可メッセージ２０４を返信することによって、ＵＥアップリンクリソースを許可し得る。ＵＥは、ＲＲＣ  ＦＤ指示をネットワーク（ＥＮＢ）２０５に送信する。いくつかの実施形態では、アップリンク許可メッセージ２０２が、ＲＲＣ  ＦＤ指示を送信するのに十分である場合、ＵＥは、ステップ２０３および２０４を実行せずに、指示をネットワーク２０５に送信し得る。
【００１６】
最後に、ネットワークは、ＵＥとの接続を解放するように、またはＵＥを接続モードからアイドルモードに移動させるように、ＲＲＣ接続解放メッセージ等の、応答メッセージ２０６で返答し得る。別の実施形態では、ＵＥが、ＲＲＣ  ＦＤ指示メッセージ２０５を送信した後に、まだＵＬ  ＴＡを維持している場合、ネットワークは、アップリンクリソースを解放して、チャネル状態報告のアップリンク送信を停止するように、ＲＲＣ接続再構成メッセージで返答し得る。いくつかの実施形態では、ネットワークは、応答メッセージ２０６を送信しなくてもよく、その代わりに、時間整合データをＵＥに送信するのを停止し得、これは、ＵＬ  ＴＡタイマを満了させ、したがって、ＵＥからのアップリンク送信を停止させ得る。
【００１７】
図３は、ＦＤ指示プロシージャ３００の実施形態を例証し、ＵＥにおけるＲＲＣ層１３０は、ＦＤ指示をネットワークに送信するために使用され得る。ＵＥ接続マネージャ１１０が、ＦＤ指示を転送するよう決定した時に、ＵＥは、送信するいかなるデータもない場合、ＳＣＲＩ、ＲＣＲＩ、またはＲＣＲＲ等の、ＲＲＣ指示メッセージ２０５をネットワークに送信するように、ＲＲＣ層１３０を使用し得る。具体的には、ＦＤ指示は、ＵＬ  ＴＡがＵＥで維持されていない時、またはネットワークがＵＥのためのスケジューリング要求を構成していない時に送信され得る。故に、ＵＥは、例えば、競合ベースのアクセス、および他のＵＥからの他のランダムアクセス要求との競合のために、ランダムアクセスプリアンブル３０１をネットワークに送信し得る。ＵＥの中にいかなる競合もないものと想定すると、ネットワークは、ランダムアクセスプリアンブル３０１を受信して、ネットワークによって定義される期間中に、例えばランダムアクセス応答メッセージ３０２を返信することによって、ＵＥのアップリンクアクセスを許可し得る。ＵＥの間の競合の可能性のため、前述のＦＤ指示プロシージャ２００でＳＲメッセージ２０１を送信すること、およびアップリンク許可メッセージ２０２を受信することと比較して、要求側ＵＥは、ランダムアクセスプリアンブル３０１を送信すること、およびランダムアクセス応答メッセージ３０２を受信することを繰り返し得る。
【００１８】
ある実施形態では、プリアンブル群Ｂが利用可能であり、かつ無線条件が許容可能である時、ＵＥは、該群からプリアンブルを選択し得、そして、ＲＲＣ  ＦＣ指示を送信するのに十分大きいアップリンクリソースを得るために、プリアンブル３０１を送信する。応答して、ネットワークは、ＲＲＣ  ＦＤ指示を送信するのに十分大きいアップリンク許可を含むランダムアクセス応答３０２を返し得る。次いで、ＵＥは、ＲＲＣ  ＦＤ指示３０３を送信する。代替的に、プリアンブル群Ｂが利用可能ではなく、または無線条件が許容可能でない時、ＵＥは、プリアンブル群Ａからプリアンブルを使用し、ネットワークは、ランダムアクセス応答メッセージ３０２をＵＥに送信し得る。プリアンブル群ＡおよびＢは、３ＧＰＰ  ＴＳ３６．３２１仕様書で説明される。ＵＥが群Ａ  ３０１からプリアンブルを送信する時、ランダムアクセス応答３０２が、ＲＲＣ  ＦＤ指示に十分ではないアップリンク許可を含む場合、ＦＤプロシージャ３００を実行するために、付加的なステップまたはメッセージングが必要になり得る。次いで、ＵＥは、ＦＤ指示３０５を送信するのに十分なアップリンク許可を得るために、ＢＳＲメッセージ３０３をネットワークに送信するか、またはネットワークでＢＳＲプロシージャを実行し得る。使用されているプリアンブル群に関わらず、ネットワークは、例えば競合解決メッセージ３０４を返信することによって、ＵＥアップリンクリソースを許可し得る。次いで、ネットワークは、応答メッセージ３０６で明示的に応答し得（応答メッセージ２０６に類似し得る）、またはＵＥへの時間整合データの送信を停止することによって暗示的に返答し得る。
【００１９】
代替の実施形態では、ＵＬ  ＴＡが維持されていない時、ＵＥは、ＦＤ指示プロシージャ３００を開始しないことを決定し得る。代わりに、ＵＥは、ネットワークの非活動タイマが満了するまで、接続モードのままであり得る。非活動タイマの満了時に、ネットワークは、ＲＲＣ接続を解放し、ＵＥをアイドルモードに移行する。上述の挙動は、ネットワーク内の非活動タイマがまもなく満了する時に促され得る。この非活動タイマは、ＵＥによって測定され得、またはネットワークによってＵＥに信号伝達され得る（例えば、システム情報ＲＲＣメッセージを通してセルでブロードキャストされるか、または専用のＲＲＣメッセージで送信される）。アップリンク送信は、バッテリ電力消費に関して最も高価な動作のうちの１つである。したがって、ＵＥが、ネットワーク非活動タイマが短期間内に満了することを知っている場合、指示を送信することには有用でないことがある。ＵＥは、最後のデータ送信とＲＲＣ接続解放との間の時間を計数する内部タイマの使用によって、ネットワーク非活動タイマの値を測定し得、またはネットワークが、非活動タイマの値をＵＥに示し得る。代替的に、ＵＥは、接続モードの持続時間を増大し、したがって、不必要な移動度追跡を低減して、ＵＥのバッテリ効率を向上させるように、例えば測定報告といった、別のＲＲＣプロシージャが開始されるまで、ＲＲＣ指示メッセージ３０５をネットワークに送信することを遅延させ得る。
【００２０】
図４は、ＦＤ指示プロシージャ４００の実施形態を例証し、ＵＥにおけるＭＡＣ層１４０は、ＦＤ指示をネットワークに送信するために使用され得る。ＵＥ接続マネージャ１１０および／またはＲＲＣ層１３０が、ＦＤ指示を転送することを決定した時、ＵＥ接続マネージャ１１０および／またはＲＲＣ層１３０は、送信するいかなるデータもない場合、または所与の持続時間内に送信するいかなるデータもなかった場合、ＭＡＣ  ＦＤ指示４０３をネットワークに送信するように、ＭＡＣ層１４０に信号伝達し得る。ＭＡＣレベル指示４０３は、「データ送信の終了」または「高速休止指示」等の、ＦＤ指示のためのＭＡＣ制御要素を備え得る。制御要素は、０オクテットの固定サイズを有して、高速休止指示の使用に対して指定される一意の論理チャネルアイデンティティ（ＬＣＩＤ）を含む、ＭＡＣサブヘッダによって識別され得る。例えば、ＭＡＣサブヘッダは、約１オクテットと同等の長さを有し得る。代替的に、ＭＡＣ  ＦＤ指示４０３は、ＦＤ指示の使用に対して指定され、一意のＬＣＩＤを備える短いＢＳＲであり得る。具体的には、ＦＤ指示は、ＵＥがＵＬ  ＴＡを維持している時に送信され得る。故に、ＵＥは、競合を生じないアップリンクアクセスのために構成され得るＳＲメッセージ４０１をネットワークに送信し得る。ネットワークは、ＳＲメッセージ４０１を受信して、例えばアップリンク許可メッセージ４０２を返信することによって、ＵＥアップリンクアクセスを許可し得る。ＭＡＣ  ＦＤ指示の短い長さのため、アップリンク許可メッセージ４０２は、ＭＡＣ  ＦＤ指示を送信するためにＵＥによって必要とされるアップリンクリソースを含み得、したがって、ＵＥは、ＢＳＲメッセージ等の付加的なメッセージを送信する必要がなくなり得る。例えば、ＭＡＣ  ＦＤ指示は、ＦＤ指示のためのＭＡＣ制御要素であり得る。例えば、ＭＡＣ制御要素は、ＭＡＣサブヘッダを含む、約１オクテットと同等の長さを有し得る。ネットワークは、ＳＲメッセージ４０１を受信して、例えばアップリンクリソース許可メッセージ４０２を返信することによって、ＵＥアップリンクリソースを許可し得る。次いで、ＵＥは、ＭＡＣ  ＦＤ指示４０３を送信する。
【００２１】
次いで、ネットワークは、ＦＤプロシージャ２００と同様に、応答メッセージ４０４で明示的に返答し得、または時間整合データをＵＥに送信しないことによって暗示的に返答し得る。例えば、応答メッセージ４０４は、「アップリンク制御情報リソースを解放する」等の、ＲＲＣ接続解放メッセージ、またはアップリンクリソースを解放するためのＭＡＣ制御要素であり得、時間整合データは、ＵＥにおけるＵＬ時間を整合させるための、時間前進ＭＡＣ制御要素を備え得る。
【００２２】
図５は、ＦＤ指示プロシージャ５００の別の実施形態を例証し、ＵＥにおけるＭＡＣ層１４０は、ＵＥ接続マネージャ１１０および／またはＲＲＣ層１３０がＦＤ指示を転送することを決定した時に、送信するいかなるデータもない場合、ＦＤ指示をネットワークに送信するために使用され得る。具体的には、ＦＤ指示は、ＵＥにおけるＵＬ  ＴＡが維持されていない時に、またはネットワークがＵＥのためのスケジューリング要求を構成しない時に送信され得る。故に、ＵＥは、競合アクセスのために、ランダムアクセスプリアンブル５０１をネットワークに送信し得る。ＵＥの間でいかなる競合もない場合、ネットワークは、ランダムアクセスプリアンブル５０１を受信して、可能である時に、または適用可能である時に、例えばランダムアクセス応答メッセージ５０２を返信することによって、ＵＥのアップリンクアクセスを許可し得る。ＭＡＣ  ＦＤ指示の短い長さのため、ランダムアクセス応答メッセージ５０２は、ＭＡＣ  ＦＤ指示５０３を送信するためにＵＥによって必要とされる、アップリンクリソースを含み得る。したがって、ＵＥは、ＢＳＲメッセージ等の付加的なメッセージを送信する必要がなくなり得る。例えば、ＭＡＣ  ＦＤ指示５０３は、Ｃ−ＲＮＴＩ制御要素に加えて、ＦＤ指示のためのＭＡＣ制御要素であり得る。例えば、ＭＡＣ制御要素およびそのサブヘッダは、約１オクテットと同等の長さを有し得、Ｃ−ＲＮＴＩ制御要素およびそのサブヘッダは、約３オクテットと同等の長さを有し得る。さらに、ネットワークは、ＵＥの間で考えられるあらゆる競合を解決するように、競合解決メッセージ５０４をＵＥに返信し得る。次いで、ネットワークは、ＦＤプロシージャ４００と同様に、応答メッセージ５０５で明示的に返答し得、またはＵＥに対する時間整合データを停止することによって暗示的に返答し得る。代替の実施形態では、ＵＬ  ＴＡが維持されていない時、ＵＥは、ＦＤ指示プロシージャ５００を開始しないことを決定し得る。代わりに、ＵＥは、ＦＤプロシージャ３００と同様に、タイマが満了するまで、接続モードのままであり得る。
【００２３】
ＦＤプロシージャ５００および４００をＦＤプロシージャ３００および２００と比較すると、より少ない、かつより短いメッセージが送信されるので、ＭＡＣ  ＦＤ指示が、ＲＲＣ  ＦＤよりも効率的であり得ることは明白である。一方で、ＭＡＣ  ＦＤ指示中には、いかなるメッセージ認証も実行されない。しかしながら、ＥＮＢは、例えばＵＥから受信されるＢＳＲメッセージ、またはダウンリンクバッファ状態に基づいて、ＦＤ指示プロシージャをトリガした可能性があるＵＥについて、継続中のデータ転送活動があるかどうかを確認し得る。継続中の活動がある場合、ＥＮＢは、ＦＤ指示が無効であり、それを無視し得ると見なし得る。代替的に、ＥＮＢは、ＵＥからＢＳＲをトリガするように、小さいアップリンク許可を提供し得る。バッファが空でない場合、ＥＮＢは、ＦＤ指示が有効ではないと見なし得る。より高いセキュリティが必要とされる場合、例えば、ＭＡＣ  ＦＤ指示は、Ｃ−ＲＮＴＩから導出される短いメッセージ認証コード、および接続に関連付けられる完全性保護キーを搬送するように拡張され得る。
【００２４】
図６は、ネットワークによってＦＤを構成することができる実際に異なる方法である、３つのオプションを開示し、システムによって一度に、これらのオプションのうちの１つのみが採用される可能性が高い。図６は、ネットワークでサポートされ得る、ＦＤ６００の構成のためのいくつかの実施形態を例証する。ＦＤ構成は、例えば、ＵＥおよび抑制タイマによってＦＤ指示が送信されるのを可能にする指示を含む、複数の構成パラメータを備え得る。例えば、第１のＦＤ構成６００（オプション１）では、システム情報ＲＲＣメッセージは、構成をＵＥに送信するために使用される。構成の範囲はセルであるので、一組の構成パラメータがセル内の全てのＵＥに適用される。この場合、ＵＥは、ＦＤ指示を適用する標的ベアラを選択する権利が許可される。第２のＦＤ構成６００（オプション２）では、構成をＵＥに送信するためにＲＲＣ接続セットアップメッセージが使用され、構成の範囲は、ＵＥであるので、一組の構成パラメータが、メッセージを受信するＵＥのみに適用される。ＵＥは、ＦＤ指示を適用する標的ベアラを選択する権利が許可される。さらに、第３のＦＤ構成６００（オプション３）では、構成をＵＥに送信するためにＲＲＣ接続再構成メッセージが使用され、構成の範囲は、ＵＥまたは無線ベアラであるので、一組の構成パラメータが、メッセージを受信するＵＥのみに、またはメッセージ内に定義される無線ベアラに適用される。
【００２５】
加えて、ＦＤ構成は、例えば双方向またはバックグラウンド型に対応する、ＵＥに割り当てられる１つもしくは複数の特定の無線ベアラ、または１つもしくは複数のリソースに限定され得るか、またはＵＥによって現在使用されている全ての無線ベアラに適用され得る。１つまたは複数の標的無線ベアラは、継続中の接続およびそれらのトラフィック性質の知識に基づいて、ならびにそのＦＤプロシージャに従ってＵＥにより選択され得る。ある実施形態では、ＦＤ構成は、抑制タイマのための値を含む、付加的なパラメータを含んでもよく、これは、以下に詳述するように、ＵＥからＦＤ指示を送信するための頻度を制御するように、事前設定されて、ネットワークによって使用され得る。
【００２６】
ある実施形態では、ＦＤの挙動を決定し得るＦＤ構成パラメータまたは情報要素は、システム情報ブロック、ＲＲＣ接続セットアップメッセージ、ＲＲＣ接続再確立メッセージ、またはＲＲＣ接続再構成メッセージを用いて定義され得る。ある実施形態では、ＦＤ構成は、随意のパラメータを含んでもよく、これは、システム情報ブロックまたはＲＲＣメッセージにおいて残りのパラメータとともに構成され、したがって、含まれ得るか、または除外され得る。ある実施例として、システム情報ブロックまたはＲＲＣメッセージ内のＦＤ構成パラメータまたは情報要素は、次のように構成され得る。
ＦａｓｔＤｏｒｍａｃｙ−Ｃｏｎｆｉｇ：：＝ＳＥＱＵＥＮＣＥ｛
ｆａｓｔＤｏｒｍａｎｃｙＩｎｈｉｂｉｔＴｉｍｅｒ  ＥＮＵＭＥＲＡＴＥＤ｛ｆ０，ｆ１，ｆ１０，ｆ１００，ｆ１０００，｝ＯＰＴＩＯＮＡＬ
−−ｄｅｆａｕｌｔ  ｆ０
｝
ある実施形態では、ＬＴＥベースのネットワークではない場合のある、他のタイプのネットワークは、ＵＴＲＡＮ等の、ＦＤ挙動または少なくともいくつかのＦＤ機能をサポートし得る。したがって、ＵＥがこのようなネットワークの間で輸送または再配置され得る時、ＦＤ情報要素は、Ｅ−ＵＴＲＡＮ間ハンドオーバー中に、またはＥ−ＵＴＲＡＮとＵＴＲＡＮとの間の無線アクセス技術間（ＲＡＴ）ハンドオーバー中に送信され得る。例えば、ＲＲＣ接続再構成メッセージは、ＵＴＲＡＮからＥ−ＵＴＲＡＮへの間のハンドオーバー中に使用され得る一方で、進化型ＵＭＴＳ地上無線アクセス（Ｅ−ＵＴＲＡ）移動度コマンドは、Ｅ−ＵＴＲＡＮからＵＴＲＡＮへの間のハンドオーバーのために使用され得る。
【００２７】
図７は、ＵＥ側と関連付けられるＦＤプロシージャまたは機能を実装するための方法７００を例証する。ブロック７１０で、ＵＥは、接続マネージャ１１０から、それ以上データがない指示（ＮＭＤ）等の、トリガを受信するまで待機する。例えば、ＵＥ接続マネージャは、上位層アプリケーションからそれ以上のアップリンクデータが送信またはスケジューリングされていないかどうかを決定し、ＵＥにおけるＲＲＣまたはＭＡＣ層に通知し得る。ブロック７２０で、ＵＥまたはネットワークは、抑制タイマが満了したかどうかを検証し得る。抑制タイマは、ＵＥが、高速反復で第２または後続のＦＤ指示を送信するのを防止するように、例えば短い持続時間に、ネットワークによって事前に設定され得る。抑制タイマ値は、その間、（ＦＤを起動する他の条件が再び真となっても）デバイスが後続のＦＤ指示を送信することを許されない持続時間を表す。持続時間は、規格で事前設定され得、またはＲＲＣ専用の、またはシステムの情報としてネットワークからデバイスに示され得る。このように、抑制タイマは、ＦＤ指示を送信する頻度を低減し得、したがって、接続モードでのより多くの待ち時間を可能にする。方法７００は、抑制タイマがまだ起動している場合、ブロック７２２に進み得、または、抑制タイマが満了している、もしくは起動していない場合、ブロック７３０に進み得る。ブロック７２２で、ＵＥは、抑制タイマの満了を待機し得る。次いで、方法７００は、ブロック７２４に進み得、ＵＥは、例えばそれ以上データを受信していない、またはスケジューリングされていない時に、ＦＤプロシージャを実装することがまだ有効であるかどうかを検証し得る。送信または受信されたデータが検出またはスケジューリングされた場合、ＦＤプロシージャは、もはや有効でなくてもよく、したがって、方法７００は、終了し得、そうでない場合、方法７００は、ブロック７３０に進み得る。
【００２８】
ブロック７３０で、ＵＥは、アップリンク送信のためのデータバッファが空であるかどうかを検証し得る。データバッファとは、初期の送信または再送信のためのＰＤＣＰサービスデータユニット（ＳＤＵ）と、ＰＤＣＰプロトコルデータユニット（ＰＤＵ）と、ＲＬＣ  ＰＤＵとを記憶する、バッファであり、以下、バッファと称する。例えば、バッファは、ＵＥ接続マネージャによって、または、代替の一実施形態では、ＲＲＣ層またはＭＡＣ層によって監視され得る。方法７００は、バッファが空である場合、ブロック７４０へ進み得、またはバッファが空でない場合、ブロック７３２へ進み得る。ブロック７３２で、ＵＥは、事前設定された時間の間、またはバッファが空になるまで待機して、ブロック７３４に進み得、ＵＥは、前述のように、ＦＤプロシージャを実装することがまだ有効であるかどうかを検証し得る。ＦＤプロシージャがまだ有効であると決定された場合、方法７００は、ブロック７４０に進み得、そうでない場合、方法７００は、終了し得る。ブロック７４０で、ＵＥは、ＵＬ  ＴＡが維持されているかどうかを検証し得る。方法７００は、ＵＬ  ＴＡがまだ維持されている場合、ブロック７５０へ進み得、そうでない場合、ブロック７４２へ進み得る。ブロック７４２で、ＵＥは、例えば明示的な手法でＦＤプロシージャを実装するかどうかを決定することによって、ＦＤ指示を送信するかどうかを決定し得る。ＵＥの決定はまた、ＦＤ構成、ユーザ選好、またはネットワークセットアップに基づいてもよい。ＦＤ構成は、アイドルモードに移動するために、ネットワークに送信することによって電力効率に利益を与えるかどうか、またはＲＲＣ接続モードで時間不整合状態のままであることが十分であるかどうかに基づいて、ＴＡが維持されていない時に、ＵＥがＦＤプロシージャを開始するかどうかを決定することができるような設定を含み得る。方法７００は、暗示的ＦＤが決定された時に終了し得、アップリンク時間整合タイマが満了するのを可能にする。明示的または暗示的決定の他の実施形態は、前述している。
【００２９】
ブロック７６０で、ＵＥは、ＦＤ指示をネットワークに送信する。指示は、同じく前述した、ＲＲＣメッセージまたはＭＡＣ制御要素であり得、ＵＥに実装される方法は、システム設計決定、または例えば３ＧＰＰ  ＴＳ３６．３３１といったネットワークプロトコル規格に基づいてもよい。ブロック７７０で、ＦＤ指示の間の遅延を可能にし、したがって、接続モード中のそれらの頻度を低減するようにＦＤ指示が送信されているので、ＵＥは、抑制タイマを開始し得る。次いで、方法７００は、ＦＤプロシージャを再開するように、ブロック７１０に戻り得る。
【００３０】
図８は、ネットワークまたはＥＮＢと関連付けられるＦＤプロシージャまたは機能を実装するための方法８００を例証する。ブロック８１０で、ＥＮＢは、ＵＥからのそれ以上データがない指示（ＮＭＤ）を受信するまで待機し得る。ＵＥから指示を受信した時、方法８００は、ブロック８１５に移動する。ブロック８１５で、ＥＮＢは、ＦＤ指示の有効性を確認し得る。最初に、ＥＮＢは、ＵＥで利用可能なあらゆるダウンリンクデータがあるかどうかを確認し得る。何らかのダウンリンクデータが利用可能である場合、ＦＤプロシージャは、ブロック８２０へ進み、終了し得る。別様に、ＥＮＢは、ＲＲＣ  ＦＤ指示を受信した場合に、完全性保護のためのメッセージ認証コード（ＭＡＣ）を検証し得る。ＭＡＣが正しい場合、ＦＤプロシージャは、ブロック８２０に進み、その後ブロック８３０に進み得る。ＭＡＣ  ＦＤを受信した場合、ＥＮＢは、バッファが空であることを検証するために、以前に受信したＢＳＲが空のバッファを示したかどうか、またはＥＮＢが、新しいＢＳＲをトリガするように小さいアップリンク許可を提供し得るかどうか、を決定するように確認し得る。バッファが空であると確認された場合、ＦＤプロシージャは、ブロック８２０に進み、次いで、ブロック８３０に進み得、そうでない場合、ＦＤプロシージャを終了し得る。ＭＡＣ  ＦＤ指示のセキュリティの改良のために、ＭＡＣ  ＦＤ制御要素を、完全性保護のための短いＭＡＣを含むように拡張し得る。短いＭＡＣは、例えば、Ｃ−ＲＮＴＩ、物理的セルＩＤ、現在のシステムフレーム番号を用いて、計算され得る。短いＭＡＣが正しい場合、ＦＤプロシージャは、８３０に進み、そうでない場合、８２０に進み、終了する。ブロック８３０で、ＥＮＢは、ＵＥを接続モードからアイドルモードに移行するべきかどうかを決定し得る。方法８００は、ブロック８３０の条件を満たした場合、ブロック８５０へ進み得、そうでない場合、ＵＥは、ブロック８３１へ進み得る。ブロック８３１で、ＥＮＢは、ＵＥがＵＬ  ＴＡを維持しているかどうかを検証し得る。方法８００は、ブロック８３１の条件を満たした場合、ブロック８３３へ進み得、そうでない場合、ＦＤプロシージャを終了し得る。ブロック８３３で、ＥＮＢは、暗示的または明示的にＵＥのアップリンクリソースを解放することを決定し得る。方法８００は、暗示的実装が決定された場合、ブロック８３４へ進み得、そうでない場合、方法８００は、ブロック８３５へ進み得る。ブロック８３４で、ＥＮＢは、ＭＡＣ制御要素（ＣＥ）であり得る、ＴＡコマンドをＵＥに送信することを停止し得、よって、ＵＥは、アップリンク時間同期化を喪失し、したがって、ある時間の満了後にアップリンクリソースを解放する。代替的に、ブロック８３５で、ＥＮＢは、例えばアップリンクリソースを解放するように、ＲＲＣ接続再構成メッセージまたはＭＡＣ  ＣＥを送信することによって、ＵＥアップリンクリソースを明示的に解放し得る。
【００３１】
図９は、ＵＥ９０１の実施形態を含む、無線通信システムを例証する。ＵＥ９０１は、本開示の側面を実装するために動作可能であるが、本開示は、これらの実装に限定されるべきではない。携帯電話として図示されているが、ＵＥ９０１は、無線ハンドセット、ポケットベル、携帯情報端末（ＰＤＡ）、携帯用コンピュータ、タブレットコンピュータ、ラップトップコンピュータを含む、種々の形態を成し得る。多くの好適なデバイスは、これらの機能のうちのいくつかはまた全てを組み合わせる。本開示のいくつかの実施形態では、ＵＥ９０１は、携帯用、ラップトップ、またはタブレットコンピュータのような汎用コンピュータデバイスではなく、むしろ、携帯電話、無線ハンドセット、ポケットベル、ＰＤＡ、または車両内に搭載される電気通信デバイス等の特殊用途通信デバイスである。別の実施形態では、ＵＥ９０１は、携帯用、ラップトップ、または他のコンピュータデバイスであり得る。ＵＥ９０１は、ゲーム、在庫管理、ジョブ制御、および／またはタスク管理機能等、特殊活動をサポートし得る。
【００３２】
ＵＥ９０１は、ディスプレイ９０２を含む。また、ＵＥ９０１は、ユーザによる入力のために、概して９０４と称される、タッチセンサ式表面、キーボード、または他の入力キーも含む。キーボードは、ＱＷＥＲＴＹ、Ｄｖｏｒａｋ、ＡＺＥＲＴＹ、および逐次タイプ等、完全または縮小英数字キーボード、または電話キーパッドと関連するアルファベット文字を伴う従来の数字キーパッドであり得る。入力キーは、さらなる入力機能を提供するように内向きに押下され得る、トラックホイール、終了またはエスケープキー、トラックボール、および他のナビゲーションまたは機能キーを含み得る。ＵＥ９０１は、ユーザが選択するためのオプション、ユーザが作動させるための制御、および／またはユーザが指図するためのカーソルあるいは他の指標を提示し得る。
【００３３】
さらに、ＵＥ９０１は、ダイヤルする番号、またはＵＥ９０１の動作を構成するための種々のパラメータ値を含む、ユーザからのデータ入力を受け取ってもよい。さらに、ＵＥ９０１は、ユーザコマンドに応じて、１つ以上のソフトウェアまたはファームウェアアプリケーションを実行し得る。これらのアプリケーションは、ユーザ対話に応じて、種々のカスタマイズされた機能を果たすようにＵＥ９０１を構成し得る。加えて、ＵＥ９０１は、例えば、無線基地局、無線アクセスポイント、またはピアＵＥ９０１から、無線でプログラムおよび／または構成され得る。
【００３４】
ＵＥ９０１によって実行可能な種々のアプリケーションの中には、ディスプレイ９０２がウェブページを表示することを可能にするウェブブラウザがある。ウェブページは、無線ネットワークアクセスノード、携帯電話の基地局、ピアＵＥ９０１、または任意の他の無線通信ネットワークあるいはシステム９００との無線通信を介して、取得され得る。ネットワーク９００は、インターネット等の有線ネットワーク９０８に連結される。無線リンクおよび有線ネットワークを介して、ＵＥ９０１は、サーバ９１０等の種々のサーバ上の情報へのアクセスを有する。サーバ９１０は、ディスプレイ９０２上に表示され得る、コンテンツを提供し得る。代替として、ＵＥ９０１は、中継式またはホップ式の接続において、媒介として作用するピアＵＥ９０１を通して、ネットワーク９００にアクセスし得る。
【００３５】
図１０は、ＵＥ９０１のブロック図を示す。ＵＥ９０１の公知の種々の構成要素が描写されるが、ある実施形態では、列挙された構成要素のサブセットおよび／または列挙されていない付加的構成要素が、ＵＥ９０１に含まれ得る。ＵＥ９０１は、デジタル信号プロセッサ（ＤＳＰ）１００２と、メモリ１００４とを含む。示されるように、ＵＥ９０１はさらに、アンテナおよびフロントエンドユニット１００６と、無線周波数（ＲＦ）送受信機１００８と、アナログベースバンド処理ユニット１０１０と、マイクロホン１０１２と、イヤホンスピーカ１０１４と、ヘッドセットポート１０１６と、入力／出力インターフェース１０１８と、可撤性メモリカード１０２０と、ユニバーサルシリアルバス（ＵＳＢ）ポート１０２２と、短距離無線通信サブシステム１０２４と、アラート１０２６と、キーパッド１０２８と、タッチセンサ式表面を含み得る液晶ディスプレイ（ＬＣＤ）１０３０と、ＬＣＤコントローラ１０３２と、電荷結合素子（ＣＣＤ）カメラ１０３４と、カメラコントローラ１０３６と、グローバルポジショニングシステム（ＧＰＳ）センサ１０３８とを含み得る。ある実施形態では、ＵＥ９０１は、タッチセンサ式画面を提供しない、別の種類のディスプレイを含み得る。ある実施形態では、ＤＳＰ１００２は、入力／出力インターフェース１０１８を通過せずに、メモリ１００４と直接通信し得る。
【００３６】
ＤＳＰ１００２または他の何らかの形態のコントローラあるいは中央処理ユニットは、メモリ１００４に記憶された、またはＤＳＰ１００２自体内に含まれるメモリに記憶された、組み込みソフトウェアまたはファームウェアに従って、ＵＥ９０１の種々の構成要素を制御するように動作する。組み込みソフトウェアまたはファームウェアに加えて、ＤＳＰ１００２は、メモリ１００４に記憶された、または、可撤性メモリカード１０２０のような携帯用データ記憶媒体等の情報搬送媒体を介して、あるいは有線または無線ネットワーク通信を介して利用可能となる、他のアプリケーションを実行し得る。アプリケーションソフトウェアは、所望の機能性を提供するようにＤＳＰ１００２を構成する、コンパイルされた一式の機械可読命令を備えてもよく、または、アプリケーションソフトウェアは、ＤＳＰ１００２を間接的に構成するようにインタープリタまたはコンパイラによって処理される、高次ソフトウェア命令であり得る。
【００３７】
アンテナおよびフロントエンドユニット１００６は、無線信号と電気信号との間で変換するように提供され得、ＵＥ９０１が、セルラーネットワークまたは他の何らかの利用可能な無線通信ネットワークから、あるいはピアＵＥ９０１から、情報を送受信することを可能にする。ある実施形態では、アンテナおよびフロントエンドユニット１００６は、複数のアンテナを含み、ビーム形成および／または多重入出力（ＭＩＭＯ）動作をサポートし得る。当業者に公知であるように、ＭＩＭＯ動作は、困難なチャネル条件を克服する、および／またはチャネルスループットを増加させるために使用することができる、空間的多様性を提供し得る。アンテナおよびフロントエンドユニット１００６は、アンテナ同調および／またはインピーダンス整合構成要素、ＲＦ電力増幅器、および／または低雑音増幅器を含み得る。
【００３８】
ＲＦ送受信機１００８は、周波数偏移を提供し、受信したＲＦ信号をベースバンドに変換し、ベースバンド送信信号をＲＦに変換する。いくつかの説明では、無線送受信機またはＲＦ送受信機は、変調／復調、符号化／復号、インターリービング／デインターリービング、拡散／逆拡散、逆高速フーリエ変換（ＩＦＦＴ）／高速フーリエ変換（ＦＦＴ）、周期的接頭辞添付／除去、および他の信号処理機能等、他の信号処理機能性を含むと理解され得る。簡単にする目的で、ここでの説明は、ＲＦおよび／または無線段階から、この信号処理の説明を分離し、その信号処理を、アナログベースバンド処理ユニット１０１０および／またはＤＳＰ１００２あるいは他の中央処理ユニットに概念的に割り当てる。いくつかの実施形態では、ＲＦ送受信機１００８、アンテナおよびフロントエンド１００６の複数部分、およびアナログベースバンド処理ユニット１０１０が、１つ以上の処理ユニットおよび／または特定用途向け集積回路（ＡＳＩＣ）に組み入れられ得る。
【００３９】
アナログベースバンド処理ユニット１０１０は、入力および出力の種々のアナログ処理、例えば、マイクロホン１０１２およびヘッドセット１０１６からの入力と、イヤホン１０１４およびヘッドセット１０１６への出力のアナログ処理を提供し得る。本目的のために、アナログベースバンド処理ユニット１０１０は、ＵＥ９０１を携帯電話として使用可能にする、内蔵マイクロホン１０１２およびイヤホンスピーカ１０１４への接続のためのポートを有し得る。さらに、アナログベースバンド処理ユニット１０１０は、ヘッドセットまたは他のハンズフリーマイクロホンおよびスピーカ構成に接続するためのポートを含み得る。アナログベースバンド処理ユニット１０１０は、１つの信号方向にデジタル−アナログ変換を、反対の信号方向にアナログ−デジタル変換を提供し得る。いくつかの実施形態では、アナログベースバンド処理ユニット１０１０の機能性の少なくとも一部が、デジタル処理構成要素によって、例えば、ＤＳＰ１００２によって、または他の中央処理ユニットによって提供され得る。
【００４０】
ＤＳＰ１００２は、変調／復調、符号化／復号、インターリービング／デインターリービング、拡散／逆拡散、逆高速フーリエ変換（ＩＦＦＴ）／高速フーリエ変換（ＦＦＴ）、周期的接頭辞添付／除去、および無線通信と関連する他の信号処理機能を行い得る。ある実施形態では、例えば、符号分割多重アクセス（ＣＤＭＡ）技術用途において、送信機機能のために、ＤＳＰ１００２は、変調、符号化、インターリービング、および拡散を行ってもよく、受信機機能のために、ＤＳＰ１００２は、逆拡散、デインターリービング、復号、および復調を行い得る。別の実施形態では、例えば、直交周波数分割多重アクセス（ＯＦＤＭＡ）技術用途において、送信機機能のために、ＤＳＰ１００２は、変調、符号化、インターリービング、逆高速フーリエ変換、および周期的接頭辞添付を行ってもよく、受信機機能のために、ＤＳＰ１００２は、周期的接頭辞除去、高速フーリエ変換、デインターリービング、復号、および復調を行い得る。他の無線技術用途では、さらに他の信号処理機能、および信号処理機能の組み合わせが、ＤＳＰ１００２によって行われ得る。
【００４１】
ＤＳＰ１００２は、アナログベースバンド処理ユニット１０１０を介して、無線ネットワークと通信し得る。いくつかの実施形態では、通信は、インターネット接続を提供し、ユーザがインターネット上のコンテンツへのアクセスを獲得すること、および電子メールまたはテキストメッセージを送受信することを可能にし得る。入力／出力インターフェース１０１８は、ＤＳＰ１００２ならびに種々のメモリおよびインターフェースを相互接続する。メモリ１００４および可撤性メモリカード１０２０は、ＤＳＰ１００２の動作を構成するためのソフトウェアならびにデータを提供し得る。とりわけ、インターフェースは、ＵＳＢインターフェース１０２２および短距離無線通信サブシステム１０２４であり得る。ＵＳＢインターフェース１０２２を用いて、ＵＥ９０１を充電し得、また、ＵＥ９０１を周辺デバイスとして機能させ、パーソナルコンピュータまたは他のコンピュータシステムと情報を交換可能にし得る。短距離無線通信サブシステム１０２４は、赤外線ポート、Ｂｌｕｅｔｏｏｔｈ（登録商標）インターフェース、ＩＥＥＥ８０２．１１準拠無線インターフェース、またはＵＥ９０１が他の近くのモバイルデバイスおよび／または無線基地局と無線通信することを可能にし得る、任意の他の短距離無線通信サブシステムを含み得る。
【００４２】
さらに、入力／出力インターフェース１０１８は、トリガされると、例えば、ベルを鳴らす、メロディを再生する、または振動することによって、ＵＥ９０１にユーザへ指示を提供させる、アラート１０２６にＤＳＰ１００２を接続し得る。アラート１０２６は、無音で振動することによって、または特定の発呼者に対して特定の事前に割り当てられたメロディを再生することによって、着信電話、新しいテキストメッセージ、および予約のリマインダ等の種々の事象のうちのいずれかをユーザに警告するための機構としての機能を果たし得る。
【００４３】
キーパッド１０２８は、インターフェース１０１８を介して、ＤＳＰ１００２に連結し、ユーザが、選択を行う、情報を入力する、および別様にＵＥ９０１に入力を提供するための１つの機構を提供する。キーボード１０２８は、ＱＷＥＲＴＹ、Ｄｖｏｒａｋ、ＡＺＥＲＴＹ、および逐次タイプ等、完全または縮小英数字キーボード、または電話キーパッドと関連するアルファベット文字を伴う従来の数字キーパッドであり得る。入力キーは、さらなる入力機能を提供するように内向きに押下され得る、トラックホイール、終了またはエスケープキー、トラックボール、および他のナビゲーションまたは機能キーを含み得る。別の入力機構は、タッチスクリーン能力を含み、また、ユーザにテキストおよび／またはグラフィックを表示し得る、ＬＣＤ１０３０であり得る。ＬＣＤコントローラ１０３２は、ＤＳＰ１００２をＬＣＤ１０３０に連結する。
【００４４】
ＣＣＤカメラ１０３４は、装備された場合、ＵＥ９０１がデジタル写真を撮ることを可能にする。ＤＳＰ１００２は、カメラコントローラ１０３６を介して、ＣＣＤカメラ１０３４と通信する。別の実施形態では、電荷結合素子カメラ以外の技術に従って動作するカメラが採用され得る。ＧＰＳセンサ１０３８は、グローバルポジショニングシステム信号を復号するようにＤＳＰ１００２に連結され、それによって、ＵＥ９０１がその位置を決定することを可能にする。また、種々の他の周辺機器が、付加的な機能、例えば、ラジオおよびテレビ受信を提供するように含まれ得る。
【００４５】
図１１は、ＤＳＰ１００２によって実装され得る、ソフトウェア環境１１０２を例証する。ＤＳＰ１００２は、他のソフトウェアが動作する、プラットフォームを提供する、オペレーティングシステムドライバ１１０４を実行する。オペレーティングシステムドライバ１１０４は、ＵＥハードウェアのためのドライバに、アプリケーションソフトウェアにアクセス可能な標準インターフェースを提供する。オペレーティングシステムドライバ１１０４は、ＵＥ９０１上で起動するアプリケーション間の制御を転送する、アプリケーション管理サービス（「ＡＭＳ」）１１０６を含む。また、図１１に示されるのは、ウェブブラウザアプリケーション１１０８、メディアプレーヤアプリケーション１１１０、およびＪａｖａ（登録商標）アプレット１１１２である。ウェブブラウザアプリケーション１１０８は、ＵＥ９０１をウェブブラウザとして動作するように構成し、ユーザが、ウェブページを読み出し、表示するため情報をフォームに入力し、リンクを選択することを可能にする。メディアプレーヤアプリケーション１１１０は、音声または視聴覚媒体を読み出し、再生するようにＵＥ９０１を構成する。Ｊａｖａ（登録商標）アプレット１１１２は、ゲーム、ユーティリティ、および他の機能性を提供するようにＵＥ９０１を構成する。構成要素１１１４は、本明細書に記載の機能性を提供する場合がある。アプリケーション層に示されているが、構成要素１１１４は、ＵＥ９０１上の環境１１０２内の種々の層または他の場所に提供される場合がある。
【００４６】
前述のＵＥ９０１および他の構成要素は、前述の作用に関する命令を実行する処理構成要素を含む場合がある。図１２は、本明細書に開示される１つ以上の実施形態を実装するために好適な処理構成要素１２１０を含む、システム１２００の実施例を例証する。プロセッサ１２１０（中央プロセッサユニットまたはＣＰＵと称され得る）に加えて、システム１２００は、ネットワーク接続デバイス１２２０と、ランダムアクセスメモリ（ＲＡＭ）１２３０と、読取専用メモリ（ＲＯＭ）１２４０と、二次記憶装置１２５０と、入力／出力（Ｉ／Ｏ）デバイス１２６０とを含む場合がある。ある場合には、これらの構成要素のうちのいくつかは、存在しなくてもよく、または相互の組み合わせ、もしくは図示されない他の構成要素との種々の組み合わせとして、組み合わされ得る。これらの構成要素は、単一の物理エンティティ内、または２つ以上の物理エンティティ内に位置する場合がある。プロセッサ１２１０によって為されると本明細書に記載するいずれの措置も、プロセッサ１２１０のみ図中に示される、もしくは示されない１つ以上の構成要素と協働するプロセッサ１２１０によって為される場合がある。
【００４７】
プロセッサ１２１０は、それがネットワーク接続デバイス１２２０、ＲＡＭ１２３０、ＲＯＭ１２４０、または二次記憶装置１２５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのプロセッサ１２１０のみが示されているが、複数のプロセッサが存在し得る。したがって、命令が、プロセッサによって実行されているように述べられ得るが、命令は、同時に、順次、あるいは別様に１つまたは複数のプロセッサによって実行され得る。プロセッサ１２１０は、１つ以上のＣＰＵチップとして実装され得る。
【００４８】
ネットワーク接続デバイス１２２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ）無線送受信機デバイス等の無線送受信機デバイス、マイクロ波アクセス用の世界的相互運用性（ＷｉＭＡＸ）デバイス、および／またはネットワークに接続するための他の公知のデバイスの形態を成し得る。これらのネットワーク接続性デバイス１２２０によって、プロセッサ１２１０が、情報を受信する場合があるか、またはプロセッサ１２１０が情報を出力する場合がある、インターネット、あるいは１つ以上の電気無線通信ネットワークまたは他のネットワークと、プロセッサ１２１０が通信することを可能にし得る。
【００４９】
また、ネットワーク接続デバイス１２２０は、無線周波数信号またはマイクロ波周波数信号等の電磁波の形態で、データを無線で送信および／または受信することが可能な１つ以上の送受信機構成要素１２２５も含む場合がある。代替として、データは、導体の表面内または上を、同軸ケーブル内、導波管内、光ファイバ等の光媒体内、あるいは他の媒体内を伝播し得る。送受信機構成要素１２２５は、別個の受信および送信ユニット、または単一の送受信機を含み得る。送受信機１２２５によって送信または受信される情報は、プロセッサ１２１０によって処理されたデータ、またはプロセッサ１２１０によって実行される命令を含み得る。そのような情報は、例えば、コンピュータデータベースバンド信号または搬送波の中に具現化される信号の形態で、ネットワークから受信し、ネットワークに出力され得る。データは、データを処理または生成するか、あるいはデータを送信または受信するかのいずれかに対して、望ましいとされ得る、異なるシーケンスに従って順序付けられ得る。ベースバンド信号、搬送波に統合される信号、あるいは現在使用されている、または今後開発される他の種類の信号は、送信媒体と称され得、当業者に周知のいくつかの方法に従って生成され得る。
【００５０】
ＲＡＭ１２３０を用いて、揮発性データ、および可能性として、プロセッサ１２１０によって実行される命令を記憶する場合がある。ＲＯＭ１２４０は、典型的には、二次記憶装置１２５０のメモリ容量より小さいメモリ容量を有する、不揮発性メモリデバイスである。ＲＯＭ１２４０を用いて、命令、および可能性として、命令の実行中に読み取られるデータを記憶する場合がある。ＲＡＭ１２３０およびＲＯＭ１２４０の両方へのアクセスは、典型的には、二次記憶装置１２５０へのアクセスよりも高速である。二次記憶装置１２５０は、典型的には、１つ以上のディスクドライブまたはテープドライブから成り、ＲＡＭ１２３０が全ての作業用データを保持するのに十分大きくない場合、データの不揮発性保存用に、またはオーバーフローデータ記憶デバイスとして使用される場合がある。二次記憶装置１２５０は、プログラムが実行用に選択される時、ＲＡＭ１２３０へロードされるプログラムを記憶するために使用され得る。
【００５１】
Ｉ／Ｏデバイス１２６０は、液晶ディスプレイ（ＬＣＤ）、タッチスクリーンディスプレイ、キーボード、キーパッド、スイッチ、ダイヤル、マウス、トラックボール、音声認識装置、カードリーダ、紙テープ読取機、プリンタ、ビデオモニタ他の公知の入出力デバイスを含み得る。また、送受信機１２２５は、ネットワーク接続デバイス１２２０の構成要素である代わりに、またはそれに加えて、Ｉ／Ｏデバイス１２６０の構成要素であると見なされる場合がある。Ｉ／Ｏデバイス１２６０の一部または全部は、ディスプレイ９０２および入力９０４等、ＵＥ９０１の上述の図面に描写される種々の構成要素に実質的に類似し得る。
【００５２】
以下の第３世代パートナーシッププロジェクト（３ＧＰＰ）技術仕様書（ＴＳ）は、全ての目的について、参照することにより本明細書に組み込まれる。ＴＳ２３．４０１、ＴＳ２３．２０３、ＴＳ３６．３３１、ＴＳ３６．３０４、ＴＳ３６．３２１、およびＴＳ３６．３００。以下の米国特許出願もまた、全ての目的について、参照することにより本明細書に組み込まれる。２００５年１２月１４日に出願の第１１／３０２，２６３号、２００６年５月１７日に出願の第６０／７４７，４６６号、２００６年８月１４日に出願の第１１／４６４，３８０号、２００７年８月２０日に出願の第６０／９５６，７８５号、２００８年８月２０日に出願の第１２／１９５，０１８号、２００８年６月１３日に出願の第６１／０６１，３５９号、２００８年６月２３日に出願の第６１／０７４，８５６号、２００８年８月７日に出願の第６１／０８６，９５５号、２００８年８月１８日に出願の第６１／０８９，７３１号、および２００８年１１月１３日に出願の第１２／２７０，５２２号。
【００５３】
ある実施形態では、媒体アクセス制御（ＭＡＣ）層を通して、ユーザ機器（ＵＥ）からアクセスデバイスに高速休止（ＦＤ）指示を送信するための方法を提供する。方法は、長期間にわたってそれ以上データがないという指示を上位層から受信するステップと、ＭＡＣ制御要素を生成してアクセスデバイスに送信するステップとを含む。
【００５４】
別の実施形態では、ＵＥからのＦＤ指示に応答する方法を提供する。方法は、ＵＥとの接続を解放するステップと、ＵＥを、接続モードからアイドルモードに移動させるステップと、アップリンクリソースを解放してチャネル状態報告のアップリンク送信を停止するように、再構成メッセージで返答するステップと、時間整合コマンドをＵＥに送信することを停止するステップと、のうちの少なくとも１つによって、ＦＤ指示に応答するステップを含む。
【００５５】
別の実施形態では、媒体アクセス制御（ＭＡＣ）層を通して、ＵＥからのＦＤ指示に応答する方法を提供する。方法は、ＦＤ指示をトリガした可能性のある、ＵＥに対する継続中のデータ転送活動があるかどうかを決定するステップと、継続中のデータ転送活動がある場合に、ＦＤ指示を無視するステップとを含む。
【００５６】
別の実施形態では、無線リソース制御（ＲＲＣ）プロトコル層を通して、ＵＥからアクセスデバイスにＦＤ指示を送信するための方法を提供する。方法は、アップリンク（ＵＬ）時間整合（ＴＡ）がＵＥとアクセスデバイスとの間で維持されている時に、スケジューリング要求（ＳＲ）を送信し、アップリンク許可を受信し、ＲＲＣ  ＦＤ指示を送信するステップを含む。
【００５７】
別の実施形態では、無線アクセス技術間（ＲＡＴ）ハンドオーバー中にＦＤ指示を処理するための方法を提供する。方法は、ハンドオーバー中にＲＲＣ接続再構成メッセージを用いて、ＦＤ構成パラメータをロングタームエボリューション（ＬＴＥ）ネットワークに送信するステップを含む。
【００５８】
別の実施形態では、ＵＥを提供する。ＵＥは、長期間にわたってそれ以上データがないという指示を上位層から受信し、ＭＡＣ制御要素を生成してアクセスデバイスに送信することによって、ＵＥが、ＭＡＣ層を通して、ＦＤ指示をアクセスデバイスに送信するように構成される、プロセッサを含む。
【００５９】
別の実施形態では、アクセスデバイスを提供する。アクセスデバイスは、ＵＥとの接続を解放することと、ＵＥを、接続モードからアイドルモードに移動させることと、アップリンクリソースを解放してチャネル状態報告のアップリンク送信を停止するように、再構成メッセージで返答することと、時間整合コマンドをＵＥに送信することを停止することと、のうちの少なくとも１つによって、ＵＥからのＦＤ指示に応答するように構成される、プロセッサを含む。
【００６０】
別の実施形態では、アクセスデバイスを提供する。アクセスデバイスは、ＦＤ指示をトリガした可能性のある、ＵＥに対する継続中のデータ転送活動があるかどうかを決定し、継続中のデータ転送活動がある場合に、ＦＤ指示を無視することによって、アクセスデバイスが、ＭＡＣ層を通して、ＵＥからのＦＤ指示に応答するように構成される、プロセッサを含む。
【００６１】
別の実施形態では、ＵＥを提供する。ＵＥは、ＵＥが、ＲＲＣプロトコル層を通して、アクセスデバイスにＦＤ指示を送信し、ＵＬ  ＴＡがＵＥとアクセスデバイスとの間で維持されている時に、ＵＥが、スケジューリング要求を送信し、アップリンク許可を受信し、ＲＲＣ  ＦＤ指示を送信するように構成される、プロセッサを含む。
【００６２】
別の実施形態では、ＵＥを提供する。ＵＥは、ハンドオーバー中にＲＲＣ接続再構成メッセージを用いて、ＦＤ構成パラメータをＬＴＥネットワークに送信することによって、ＵＥが、ＲＡＴ間ハンドオーバー中に、ＦＤ指示を処理するように構成される、プロセッサを含む。
【００６３】
本開示において複数の実施形態を提供してきたが、開示されたシステムおよび方法は、本発明の精神または範囲から逸脱することなく、多数の他の特定の形態で具体化され得ることを理解されたい。本実施例は、制限的ではなく例証的と見なされ、本明細書で提供される詳細に限定されることを意図しない。例えば、種々の要素または構成要素を、別のシステムに組み入れるか、または一体化し得、あるいは、ある特徴を省略するか、または実装しなくてもよい。
【００６４】
また、別のまたは別個のものとして種々の実施形態の中で説明および例証される技術、システム、サブシステム、および方法は、本開示の範囲から逸脱することなく、他のシステム、モジュール、技術、または方法と組み合わせても、または一体化し得る。連結もしくは直接連結または相互に通信するように図示または説明される他のアイテムは、電気的、機械的、またはその他の方法かどうかにかかわらず、何らかのインターフェース、デバイス、または中間構成要素を通して、間接的に連結または通信し得る。変更、置換、および改変の他の例は、当業者により解明可能であり、本明細書で開示される精神および範囲から逸脱することなく行うことができる。
【図１】
0005749753.tif 000002
【図２】
0005749753.tif 000003
【図３】
0005749753.tif 000004
【図４】
0005749753.tif 000005
【図５】
0005749753.tif 000006
【図６】
0005749753.tif 000007
【図７】
0005749753.tif 000008
【図８】
0005749753.tif 000009
【図９】
0005749753.tif 000010
【図１０】
0005749753.tif 000011
【図１１】
0005749753.tif 000012
【図１２】
0005749753.tif 000013